(57)【要約】【課題】  先組みした柱筋の外径と、柱筋を直接吊り下げるワイヤーとの位置関係を適切に調整することにより、安全かつ適切に柱筋を吊り込む。【解決手段】  吊り下げワイヤー３０を介して吊り下げ装置に吊り下げられるとともに、吊り下げ対象となる柱筋１０の上部に連結して、当該柱筋１０を吊り下げる少なくとも３つの吊り下げ部材を有する支持部材２０を備える。吊り下げ部材は、支持部材２０の中心からの距離がそれぞれ異なる一対の支持部６０ａ、６０ｂと、一対の支持部６０ａ、６０ｂの間に掛け渡した支持ワイヤー６０ｃと、支持ワイヤー６０ｃに接触した状態で移動可能な滑車６０ｄと、滑車６０ｄに取り付けられ、柱筋１０の上部に連結する連結ワイヤー７０と、連結ワイヤー７０の下部に取り付けられ、柱筋１０の上部を把持する把持部材８０とを備える。【選択図】図２
2019167762.tif 000002
【特許請求の範囲】
【請求項１】
先組みした柱筋を吊り下げるための吊り治具であって、
吊り下げワイヤーを介して吊り下げ装置に吊り下げられるとともに、吊り下げ対象となる柱筋の上部に連結して、当該柱筋を吊り下げる少なくとも３つの吊り下げ部材を有する支持部材を備え、
前記吊り下げ部材は、前記支持部材の中心からの距離がそれぞれ異なる一対の支持部と、
前記一対の支持部の間に掛け渡した支持ワイヤーと、
前記支持ワイヤーに接触した状態で移動可能な滑車と、
前記滑車に取り付けられ、前記柱筋の上部に連結する連結ワイヤーと、
前記連結ワイヤーの下部に取り付けられ、前記柱筋の上部を把持する把持部材と、
を備えたことを特徴とする柱筋の吊り治具。
【請求項２】
前記滑車は、吊り下げ対象となる柱筋の外径に合わせて、前記一対の支持部の間で、前記支持ワイヤーに接触した状態で移動することにより、前記連結ワイヤーを鉛直状態とする、
ことを特徴とする請求項１に記載の柱筋の吊り治具。
【請求項３】
前記支持部材は、外枠と、当該外枠と一体となった内枠とからなり、
前記一対の支持部の一方は外枠に設けられ、他方は内枠に設けられている、
ことを特徴とする請求項１又は２に記載の柱筋の吊り治具。
【請求項４】
前記外枠及び前記内枠は四角形状であり、
前記一対の支持部は、それぞれ、前記外枠と前記内枠の四隅又は四隅近傍に取り付けられている、
ことを特徴とする請求項３に記載の柱筋の吊り治具。
【発明の詳細な説明】
【技術分野】
【０００１】
本発明は、柱筋の吊り治具に関するものであり、詳しくは、先組みした柱筋を吊り込んで施工位置まで移動させるための吊り治具に関するものである。
【背景技術】
【０００２】
建築物を構築する際に、先組みした柱筋をクレーン等で吊り込んで、施工位置まで移動させる作業がある。この際、柱筋を適切に吊り下げないと、先組みした柱筋が歪んだり損傷したりするおそれがある。例えば、先組みした柱筋の外径と吊り下げワイヤーの支持位置とが極端に相違すると、柱筋を吊り下げるワイヤーが斜行してしまい、柱筋の上部に横方向の力が加わり、主筋に取り付けたフープ筋が外れたり、歪んだりしてしまう。
【０００３】
このような事象が生じると、作業が遅延したり、施工品質が低下したりする原因となる。そこで、従来、先組みした鉄筋を適切に吊り下げるための技術が種々提案されている（例えば、特許文献１、特許文献２参照）。
【０００４】
特許文献１に記載された技術は、型板を厚くすることなく柱筋を吊り上げることができ、かつ高い所に登らなくとも玉掛けワイヤーを外すことができる柱筋の吊り込み方法に関するものである。この柱筋の吊り込み方法は、先組した柱筋の上部に取り付けられた位置決め用の型板の下側に、一方が開放した吊り込み治具を柱筋の外側を挟むようにして取り付ける。そして、吊り込み治具で型板を支持しながら柱筋を吊り上げて所定の箇所に設置した後、吊り込み治具を降下させて柱筋から取り外すようになっている。
【０００５】
特許文献２に記載された技術は、荷の姿勢をより確実に安定させることが可能な吊り天秤装置に関するものである。この吊り天秤装置は、揚重機に吊り上げ支持される吊り天秤本体と、吊り天秤本体と荷にそれぞれ一体に複数取り付けて配設される滑車装置と、端部を吊り天秤本体側及び／又は荷側に固着しつつ吊り天秤本体の滑車装置の滑車と荷の滑車装置の滑車に交互に巻き掛けて配設された吊りロープとを備えている。さらに、揚重機で吊り天秤本体を吊り上げ、吊りロープを介して滑車装置に荷の荷重が作用するとともに、滑車と吊りロープを固着するロック機構を少なくとも一つの滑車装置に備えている。
【先行技術文献】
【特許文献】
【０００６】
【特許文献１】特開平９−２７９８５１号公報
【特許文献２】特開２０１７−７８０８号公報
【発明の概要】
【発明が解決しようとする課題】
【０００７】
上述したように、先組みした柱筋の外径と、柱筋を直接吊り下げるワイヤーが柱筋を把持する位置とが極端に相違すると、柱筋を直接吊り下げるワイヤーが斜行するため、柱筋を適切に吊り下げることができない。また、最悪の場合には、吊り下げた柱筋やフープ筋の一部が落下するおそれがある。特許文献１及び特許文献２を含めて、従来の技術では、このような課題に関して考慮されてはいるものの、更に一層、安全かつ適切に柱筋を吊り込むための技術の開発が望まれていた。
【０００８】
本発明は、上述した事情に鑑み提案されたもので、先組みした柱筋の外径と、柱筋を直接吊り下げるワイヤーとの位置関係を適切に調整することにより、安全かつ適切に柱筋を吊り込むことが可能な柱筋の吊り治具を提供することを目的とする。
【課題を解決するための手段】
【０００９】
本発明に係る柱筋の吊り治具は、上述した目的を達成するため、以下の特徴点を有している。すなわち、本発明に係る柱筋の吊り治具は、先組みした柱筋を吊り下げるための治具であり、吊り下げワイヤー（例えば、クレーンのワイヤー）を介して吊り下げ装置（例えば、クレーン）に吊り下げられるとともに、吊り下げ対象となる柱筋の上部に連結して、当該柱筋を吊り下げる少なくとも３つの吊り下げ部材を有する支持部材を備えたことを特徴とするものである。吊り下げ装置は、例えばクレーンを用いることができ、この場合には、クレーンのワイヤーが吊り下げワイヤーとなる。
【００１０】
吊り下げ部材は、支持部材の中心からの距離がそれぞれ異なる一対の支持部と、一対の支持部の間に掛け渡した支持ワイヤーと、支持ワイヤーに接触した状態で移動可能な滑車と、滑車に取り付けられ、柱筋の上部に連結する連結ワイヤー（柱筋を直接吊り下げるワイヤー）と、連結ワイヤーの下部に取り付けられ、柱筋の上部を把持する把持部材とを備えている。
【００１１】
支持ワイヤーは、一対の支持部の間に掛け渡すことによりＶ字状となるワイヤーである。また、支持部は、例えば、支持ワイヤーを取り付ける孔空き鋼板及びシャックルからなり、把持部材は、例えば、クランプからなる。
【００１２】
上述した柱筋の吊り治具において、滑車は、吊り下げ対象となる柱筋の外径に合わせて、一対の支持部の間で、支持ワイヤーに接触した状態で移動することにより、連結ワイヤーを鉛直状態とするようになっている。
【００１３】
上述した柱筋の吊り治具において、支持部材は、外枠と、当該外枠と一体となった内枠とからなり、一対の支持部の一方は外枠に設けられ、他方は内枠に設けられている構成とすることが可能である。
【００１４】
上述した柱筋の吊り治具において、外枠及び内枠は四角形状であり、一対の支持部は、それぞれ、外枠と内枠の四隅又は四隅近傍に取り付けることが可能である。
【発明の効果】
【００１５】
本発明に係る柱筋の吊り治具によれば、吊り下げ対象となる柱筋の外径に合わせて、滑車が一対の支持部の間で、支持ワイヤーに接触した状態で移動する。これにより、柱筋を直接吊り下げる連結ワイヤーは常に鉛直状態となる。すなわち、柱筋を直接吊り下げるワイヤーが斜行することはなく、柱筋を適切に吊り下げることができる。このため、先組みした主筋及びフープ筋に意図しない外力が働くことがなく、主筋及びフープ筋の形状に悪影響を与えず、落下のおそれもない。したがって、先組みした柱筋の外径と吊り下げワイヤーとの位置関係が適切に調整され、安全かつ適切に柱筋を吊り込むことが可能となる。
【図面の簡単な説明】
【００１６】
【図１】本発明の実施形態に係る柱筋の吊り治具を構成する支持部材の底面図、正面図、側面図。
【図２】本発明の実施形態に係る柱筋の吊り治具の正面図。
【図３】本発明の実施形態に係る柱筋の吊り治具の側面図。
【図４】本発明の実施形態に係る柱筋の吊り治具で柱筋を吊り下げた状態の正面図。
【発明を実施するための形態】
【００１７】
以下、図面を参照して、本発明の実施形態に係る柱筋の吊り治具を説明する。図１〜図４は本発明の実施形態に係る柱筋の吊り治具を説明するもので、図１（ａ）は支持部材の底面図、図１（ｂ）は支持部材の正面図、図１（ｃ）は支持部材の側面図、図２は柱筋の吊り治具の正面図、図３は柱筋の吊り治具の側面図、図４は柱筋を吊り下げた状態の柱筋の吊り治具の正面図である。
【００１８】
＜柱筋の吊り治具の概要＞
本発明は、図４に示すように、先組みした柱筋１０を吊り込んで（吊り下げて）、施工場所に移動させる際に使用する吊り治具に関するものである。先組みした柱筋１０とは、工場等で予め組み上げて施工現場に搬入した柱筋１０や、施工現場の作業ヤードで地組みした柱筋１０のことであり、例えば、主筋１１とフープ筋１２とからなる。先組みした柱筋１０は、施工対象物に応じて種々の径を有しており、また、円柱状や角柱状等、種々の形状のものがある。
【００１９】
＜支持部材＞
本発明の実施形態に係る柱筋１０の吊り治具は、図１〜４に示すように、吊り下げ対象となる柱筋１０の径や形状に応じた支持部材２０を備えており、所定範囲で、径や形状が異なる柱筋１０に適用することが可能となっている。支持部材２０は、クレーンの吊り下げワイヤー３０を連結する連結部材４０と、柱筋１０を吊り下げるための吊り下げ部材を備えている。なお、支持部材２０の大きさを変更することにより、適用範囲の径や形状を変更することができる。また、吊り下げワイヤー３０と連結部材４０との間には、中継ワイヤー５０が掛け渡されている。
【００２０】
図１〜４示す支持部材２０は、四角形の外枠と、当該外枠と一体となった内枠とからなる。具体的には、図１（ａ）に示すように、四角形の外枠部材２１と、外枠部材２１の一辺から対向する他辺に掛け渡した一対の架橋部材２２と、架橋部材２２の間に掛け渡した一対の内枠部材２３とからなる。すなわち、外枠部材２１で外枠を形成し、架橋部材２２の一部及び内枠部材２３で内枠を形成し、架橋部材２２で外枠及び内枠を一体とする。図１に示す例では、外枠部材２１、架橋部材２２、内枠部材２３は、角柱状の鋼管からなる。なお、支持部材２０の形状は、四角形に限られず、吊り下げ対象となる柱筋１０の径や形状に応じて、三角形や、五角形以上の多角形であってもよいし、円形または楕円形であってもよい。
【００２１】
＜吊り下げ部材＞
吊り下げ部材は、図１〜４に示すように、吊り下げ対象となる柱筋１０の上部に連結して、当該柱筋１０を吊り下げるための部材であり、本実施形態では、四角枠状の支持部材２０の四隅近傍にそれぞれ設けられている。この吊り下げ部材は、一対の支持部６０ａ、６０ｂと、支持ワイヤー６０ｃと、滑車６０ｄとからなる。なお、本実施形態では、４つの吊り下げ部材（支持部６０ａ、６０ｂ、支持ワイヤー６０ｃ、滑車６０ｄ）を備えているが、柱筋１０を安定して吊り下げるためには３つ以上の吊り下げ部材が必要であり、吊り下げ対象となる柱筋１０の大きさ、重量、形状等に応じて、５つ、あるいはそれ以上の個数であってもよい。
【００２２】
＜支持部＞
各吊り下げ部材は、支持部材２０の中心からの距離がそれぞれ異なる一対の支持部６０ａ、６０ｂを備えている。この支持部６０ａ、６０ｂは、図１〜４に示すように、支持ワイヤー６０ｃを取り付ける孔空き鋼板及びシャックルからなる。図１〜４に示す例では、一対の支持部６０ａ、６０ｂの一方は外枠に設けられており、他方は内枠に設けられている。なお、支持部６０ａ、６０ｂは、孔空き鋼板及びシャックルに限られるものではなく、支持ワイヤー６０ｃを支持して掛け渡すことができれば、どのような部材であってもよい。
【００２３】
＜支持ワイヤー＞
一対の支持部６０ａ、６０ｂの間には、支持ワイヤー６０ｃが掛け渡されている。支持ワイヤー６０ｃの長さは、吊り下げ対象となる柱筋１０の径や形状に応じて適宜設定することができる。この支持ワイヤー６０ｃに滑車６０ｄを取り付けるとともに、滑車６０ｄに取り付けた連結ワイヤー７０により柱筋１０を吊り下げると、図２〜図４に示すように、支持ワイヤー６０ｃは滑車６０ｄを屈曲点としてＶ字状となる。
【００２４】
＜滑車＞
滑車６０ｄは、一対の支持部６０ａ、６０ｂの間で、支持ワイヤー６０ｃに接触した状態で移動することにより、吊り下げ対象となる柱筋１０の外径に合わせて、連結ワイヤー７０を鉛直状態とすることができる。すなわち、図２及び図３に示すように、連結ワイヤー７０により柱筋１０を吊り下げると、滑車６０ｄに対して柱筋１０の重量が作用して、滑車６０ｄが一対の支持部６０ａ、６０ｂの間に掛け渡された支持ワイヤー６０ｃに接触しながら移動し、連結ワイヤー７０が鉛直状態となる。
【００２５】
＜連結ワイヤー／把持部材＞
連結ワイヤー７０は、滑車６０ｄに取り付けられており、その下部には把持部材８０が設けられている。把持部材８０は、例えばクランプからなり、柱筋１０の上部を把持することにより、連結ワイヤー７０で柱筋１０を吊り下げることができる。
【００２６】
＜柱筋の吊り込み＞
本発明の実施形態に係る吊り治具を用いて柱筋１０を吊り込む（吊り下げる）手順を説明する。なお、柱筋１０の外形や形状に対応して、複数の支持部材２０が用意されているものとする。
【００２７】
先組みされた柱筋１０を吊り込む（吊り下げる）には、柱筋１０の外形や形状に対応した支持部材２０を選択し、クレーンの吊り下げワイヤー３０に、中継ワイヤー５０を介して支持部材２０を接続する。そして、クレーンを操作して、連結ワイヤー７０の下端部に取り付けた把持部材８０が柱筋１０の上部に届くようにする。この状態で、把持部材８０により柱筋１０（主筋１１）の上部を把持する。
【００２８】
そして、クレーンを操作して吊り治具を上昇させると、吊り下げワイヤー３０、中継ワイヤー５０、支持部材２０、支持部６０ａ、６０ｂ、支持ワイヤー６０ｃ、滑車６０ｄが上昇するとともに、連結ワイヤー７０に柱筋１０の重量が作用して、滑車６０ｄが一対の支持部６０ａ、６０ｂの間に掛け渡された支持ワイヤー６０ｃに接触しながら移動し、連結ワイヤー７０が鉛直状態となる。この状態で、さらにクレーンを操作して吊り治具を上昇させると、安定した状態で柱筋１０を目的位置にまで移動させることができる。
【符号の説明】
【００２９】
１０  柱筋
１１  主筋
１２  フープ筋
２０  支持部材
２１  外枠部材
２２  架橋部材
２３  内枠部材
３０  吊り下げワイヤー
４０  連結部材
５０  中継ワイヤー
６０ａ  外枠部材に取り付けた支持部
６０ｂ  内枠部材に取り付けた支持部
６０ｃ  支持ワイヤー
６０ｄ  滑車
７０  連結ワイヤー
８０  把持部材
【図１】
2019167762.tif 000003
【図２】
2019167762.tif 000004
【図３】
2019167762.tif 000005
【図４】
2019167762.tif 000006